(57)【要約】【課題】内圧の上昇にともなうパウチの開封時に発生する音の大きさを小さくできるパウチおよび内容物封入パウチを提供する。【解決手段】パウチ１０は、内容物を収容可能な内部空間２９を形成する袋本体部４０と、袋本体部４０に形成され、内部空間２９を開放する第１開口部４３と、第１開口部４３を開閉するファスナー１００とを備える。ファスナー１００は、高嵌合強度部１１０および低嵌合強度部１２０を有し、低嵌合強度部１２０は、高嵌合強度部１１０よりも嵌合強度が低く、ファスナー１００の雄型および雌型の少なくとも一方が潰された部分である。【選択図】図２
2015147620.tif 000002
【特許請求の範囲】
【請求項１】
内容物を収容可能な内部空間を形成する袋本体部と、
前記袋本体部に形成され、前記内部空間を開放する開口部と、
前記開口部を開閉するファスナーとを備え、
前記ファスナーは、高嵌合強度部および低嵌合強度部を有し、
前記低嵌合強度部は、前記高嵌合強度部よりも嵌合強度が低く、前記ファスナーの雄型および雌型の少なくとも一方が潰された部分である
パウチ。
【請求項２】
請求項１に記載のパウチと、前記内部空間に収容された内容物とを備え、
前記開口部がシールされている
内容物封入パウチ。
【発明の詳細な説明】
【技術分野】
【０００１】
本発明は、内容物を収容可能なパウチ、および、そのパウチに内容物が充填された内容物封入パウチに関する。
【背景技術】
【０００２】
特許文献１は、パウチおよび内容物封入パウチの一例を開示している。
特許文献１のパウチは、開口部を有する包装体と、開口部を開封および密封するファスナーとを有する。ファスナーが嵌合状態となることによりパウチは密封された状態となる。一方、ファスナーの嵌合状態が解除されたとき、パウチは開封された状態となる。特許文献１の内容物封入パウチは、パウチおよび内容物を有する。
【０００３】
特許文献１の内容物封入パウチは、電子レンジ等によって加熱されることにより、内部空間に蒸気が発生する。このため、内容物封入パウチは、内部空間の圧力が上昇する。内部空間の圧力が上昇することにともない、内容物封入パウチには、互いに対向してパウチの内部空間を形成するシートを離間させようとする力が作用する。また、内部空間の圧力が上昇することにともない、内容物封入パウチには、ファスナーの嵌合状態を解除させようとする力が作用する。内部空間の圧力の上昇にともない、ファスナーの嵌合状態を解除させようとする力がファスナーの嵌合強度を上回ったときに、ファスナーの嵌合状態が解除される。これにより、内部空間で発生した蒸気が外部へ排出される。
【先行技術文献】
【特許文献】
【０００４】
【特許文献１】特開２００９−１６６８４６号公報
【発明の概要】
【発明が解決しようとする課題】
【０００５】
上記パウチは、内圧が上昇することによりファスナーの嵌合状態を解除させようとする力が、ファスナーの嵌合強度の限界まで達したとき、一気にファスナーの嵌合状態が解除される。このため、パウチの開封時に大きな音が発生する。
【０００６】
本発明は、以上の背景をもとに創作されたものであり、内圧の上昇にともなうパウチの開封時に発生する音の大きさを小さくできるパウチおよび内容物封入パウチを提供することを目的とする。
【課題を解決するための手段】
【０００７】
〔１〕本発明に従うパウチの一形態は、内容物を収容可能な内部空間を形成する袋本体部と、前記袋本体部に形成され、前記内部空間を開放する開口部と、前記開口部を開閉するファスナーとを備え、前記ファスナーは、高嵌合強度部および低嵌合強度部を有し、前記低嵌合強度部は、前記高嵌合強度部よりも嵌合強度が低く、前記ファスナーの雄型および雌型の少なくとも一方が潰された部分である。
【０００８】
〔２〕本発明に従う内容物封入パウチの一形態は、上記〔１〕に記載のパウチと、前記内部空間に収容された内容物とを備え、前記開口部がシールされている。
【発明の効果】
【０００９】
上記パウチおよび内容物封入パウチによれば、内圧の上昇にともなうパウチの開封時に発生する音の大きさを小さくすることに貢献する。
【図面の簡単な説明】
【００１０】
【図１】実施形態の内容物封入パウチの正面図。
【図２】実施形態のパウチの正面図。
【図３】図２のＤ３−Ｄ３線において破断された高嵌合強度部の断面図。
【図４】図２のＤ４−Ｄ４線において破断された低嵌合強度部の断面図。
【図５】実施形態の内容物封入パウチの製造工程に関する図であり、（ａ）は第２開口部が開封された状態のパウチの正面図、（ｂ）は第２開口部に充填機のノズルが挿入された状態のパウチの正面図、（ｃ）は内部空間に内容物が収容された状態のパウチの正面図。
【図６】実施形態の内容物封入パウチの製造工程に関する図であり、（ａ）は第２開口部にシール加工が施される前のパウチの正面図、（ｂ）は第２開口部にシール加工が施されている最中のパウチの正面図、（ｃ）は第２開口部にシール加工が施された後のパウチの正面図。
【図７】実施形態のパウチに関する図であり、袋の一部が切り取られている最中のパウチの正面図。
【図８】実施形態のパウチに関する図であり、第１開口部が開口している状態を示しているパウチの正面図。
【図９】実施形態のパウチに関する図であり、パウチの正面図。
【図１０】実施形態のパウチに関する図であり、低嵌合強度部が開封した状態を示しているパウチの正面図。
【図１１】低嵌合強度部の嵌合強度を変化させたときのファスナーの開封態様について検証した実験結果を示している図。
【図１２】低嵌合強度部長さを変化させたときのファスナーの開封態様について検証した実験結果を示している図。
【発明を実施するための形態】
【００１１】
図１を参照して、内容物封入パウチ１の構成について説明する。なお、図１、図２、および図５〜図１０に示されるドットは、パウチ１０のシール部を示している。
内容物封入パウチ１は、パウチ１０および内容物２００を有する。パウチ１０は、スタンディングパウチとしての形態を有する。パウチ１０は、第２開口部６１（図２参照）にシール加工が施されている。内容物２００は、液体調味料である。
【００１２】
図２を参照して、パウチ１０の構成について説明する。
パウチ１０は、袋２０およびファスナー１００を有する。パウチ１０は、第２開口部６１が形成された部分を除く縁の全部がシールされている。
【００１３】
袋２０は、主袋部３０、副袋部７０、シール部８０、および切断補助部９０を有する。袋２０は、積層シートにより形成される。積層シートは、最外層、中間層、および最内層を有する。最外層は、ポリエチレンテレフタレート層により構成される。最内層は、無延伸ポリプロピレン層により構成される。中間層は、印刷層、第１接着層、延伸ナイロン層、および第２接着層により構成される。印刷層は、最外層の内側に形成される。第１接着層は、印刷層の内側に形成される。延伸ナイロン層は、第１接着層の内側に形成される。第２接着層は、延伸ナイロン層の内側に形成される。最内層は、第２接着層の内側に形成される。印刷層は、外面に絵柄および商品の説明等を有する。
【００１４】
袋２０は、第１角部２１、第２角部２２、第３角部２３、第４角部２４、第１側方縁２５、第２側方縁２６、上縁２７、下縁２８、および内部空間２９を有する。
第１側方縁２５は、袋２０における第１角部２１から第３角部２３までの縁を形成している。第２側方縁２６は、袋２０における第２角部２２から第４角部２４までの縁を形成している。上縁２７は、袋２０において第１角部２１から第２角部２２までの縁を形成している。下縁２８は、袋２０において第３角部２３から第４角部２４までの縁を形成している。
【００１５】
第１側方縁２５および上縁２７は、第１角部２１において互いに連続している。第１側方縁２５および下縁２８は、第３角部２３において互いに連続している。第２側方縁２６および上縁２７は、第２角部２２において互いに連続している。第２側方縁２６および下縁２８は、第４角部２４において互いに連続している。
【００１６】
主袋部３０は、袋本体部４０、底ガゼット５０、および突出部６０を有する。
袋本体部４０は、第１側方部４１、第２側方部４２、および第１開口部４３を有する。
第１側方部４１は、図中の二点鎖線で示している境界線ＸＡよりも内部空間２９側の部分を示している。第２側方部４２は、第２側方縁２６を含む部分を示している。
【００１７】
第１開口部４３は、ファスナー１００を含む主袋部３０の上縁に形成されている。第１開口部４３は、袋２０が主袋部３０と副袋部７０とに分離している状態において、内容物を内部空間２９に収容する機能を有する。
【００１８】
底ガゼット５０は、袋本体部４０を支持する。図中の二点鎖線ＸＢは、底ガゼット５０と袋本体部４０との境界線を示している。
突出部６０は、第１側方部４１から幅方向の外方に突出する形状を有する。突出部６０は、第２開口部６１を含んで形成されている。
【００１９】
第２開口部６１は、第１側方部４１から幅方向の外方に突出する形状を有する。第２開口部６１は、内容物を内部空間２９に収容する機能を有する。
副袋部７０は、切断補助部９０を介して主袋部３０と連続して形成されている。
【００２０】
シール部８０は、熱溶着により形成される。シール部８０は、第１側方シール部８１、第２側方シール部８２、上方シール部８３、下方シール部８４、および易開封シール部８５を有する。
【００２１】
第１側方シール部８１は、袋２０において第１側方縁２５を含む所定範囲の部分をシールしている。第１側方シール部８１は、側方シール上部８１Ａおよび側方シール下部８１Ｂを有する。側方シール上部８１Ａおよび側方シール下部８１Ｂは、第２開口部６１により互いに分断されている。
【００２２】
側方シール上部８１Ａは、袋２０において第１角部２１から第２開口部６１までの範囲をシールしている。
側方シール下部８１Ｂは、第２開口部６１において、袋本体部４０と底ガゼット５０との境界部分をシールしている。
【００２３】
第２側方シール部８２は、袋２０において第２側方縁２６を含む所定範囲の部分をシールする。上方シール部８３は、上縁２７を含む所定範囲の部分をシールする。
上方シール部８３は、上縁２７に形成されている。上方シール部８３は、ファスナー１００を密封している。下方シール部８４は、下縁２８を含む底ガゼット５０の所定範囲の部分をシールしている。易開封シール部８５は、袋本体部４０を形成する二枚のシートをシールしている。易開封シール部８５は、イージーピール性を有する。易開封シール部８５は、第１開口部４３を密封する。易開封シール部８５は、ファスナー１００に対して内部空間２９側に位置している。
【００２４】
切断補助部９０は、袋２０を主袋部３０と副袋部７０とに互いに分離する部分として機能する。切断補助部９０は、ノッチ９１およびガイド線９２を有する。ノッチ９１は、袋２０を主袋部３０と副袋部７０とに分離するためのきっかけの部分として機能する。ノッチ９１は、第１側方縁２５および第２側方縁２６に形成されている。ガイド線９２は、袋２０を主袋部３０と副袋部７０とに互いに分離することを補助する機能を有する。ガイド線９２は、袋２０を構成するフィルムに対してレーザーによるハーフカット加工が施されることにより形成されている。
【００２５】
ファスナー１００は、第１開口部４３を開封および密封する機能を有する。ファスナー１００は、第１ファスナー端部１０１、第２ファスナー端部１０２、高嵌合強度部１１０、および低嵌合強度部１２０を有する。ファスナー１００は、ファスナー長さＬＡを有する。ファスナー長さＬＡは、第１ファスナー端部１０１から第２ファスナー端部１０２までの長さを示している。
【００２６】
第１ファスナー端部１０１は、側方シール上部８１Ａの内縁に位置している。第２ファスナー端部１０２は、第２側方シール部８２の内縁に位置している。
高嵌合強度部１１０は、第１ファスナー端部１０１から低嵌合強度部１２０の第１低嵌合端部１２０Ａまでの部分を示している。高嵌合強度部１１０は、第２ファスナー端部１０２から低嵌合強度部１２０の第２低嵌合端部１２０Ｂまでの部分を示している。
【００２７】
高嵌合強度部１１０は、第１高嵌合強度部長さＬＢおよび第２高嵌合強度部長さＬＣを有する。第１高嵌合強度部長さＬＢは、第１ファスナー端部１０１から第１低嵌合端部１２０Ａまでの長さを示している。第２高嵌合強度部長さＬＣは、第２ファスナー端部１０２から第２低嵌合端部１２０Ｂまでの長さを示している。第１高嵌合強度部長さＬＢと第２高嵌合強度部長さＬＣとは等しい。
【００２８】
低嵌合強度部１２０は、低嵌合強度部長さＬＤを有する。低嵌合強度部長さＬＤは、第１低嵌合端部１２０Ａから第２低嵌合端部１２０Ｂまでの長さを示している。低嵌合強度部長さＬＤは、ファスナー長さＬＡの２０％の長さを有する。
【００２９】
図３を参照して、高嵌合強度部１１０の構成について説明する。なお、図３においては、易開封シール部８５の図示を省略している。
高嵌合強度部１１０は、雌型基材１１１、通常雌型１１２、雄型基材１１５、および通常雄型１１６を有する。
【００３０】
雌型基材１１１は、袋２０を形成するシートに熱溶着される。雌型基材１１１は、通常雌型１１２を支持する機能を有する。
通常雌型１１２は、椀型形状を有する。通常雌型１１２は、雌型基材１１１と一体的に形成されている。通常雌型１１２は、開封側通常爪１１３および内容物側通常爪１１４を有する。開封側通常爪１１３は、雌型基材１１１側に屈曲する形状を有する。開封側通常爪１１３は、内容物側通常爪１１４よりも袋２０の開封側に位置している。
【００３１】
内容物側通常爪１１４は、雌型基材１１１側に屈曲する形状を有する。内容物側通常爪１１４は、内容物側通常爪１１３よりも袋２０の内部空間２９側に位置している。内容物側通常爪１１４と開封側通常爪１１３とは、通常距離ＬＥを有する。通常距離ＬＥは、通常雌型１１２に対して通常雄型１１６が嵌合している状態における内容物側通常爪１１４と開封側通常爪１１３との距離を示している。
【００３２】
雄型基材１１５は、袋２０を形成するシートに熱溶着される。雄型基材１１５は、通常雄型１１６を支持する機能を有する。
通常雄型１１６は、矢尻型形状を有する。通常雄型１１６は、雄型基材１１５と一体的に形成されている。通常雄型１１６は、通常支持部１１７および通常先端部１１８を有する。通常支持部１１７は、雄型基材１１５と連続して形成される。通常支持部１１７は、雄型基材１１５から雌型基材１１１に向けて突出する形状を有する。通常支持部１１７は、基端境界部１１７Ａおよび先端境界部１１７Ｂを有する。基端境界部１１７Ａは、通常支持部１１７と雄型基材１１５との境界部分を示している。先端境界部１１７Ｂは、通常支持部１１７と通常先端部１１８との境界部分を示している。通常支持部１１７は、通常支持部長さＬＦを有する。通常支持部長さＬＦは、基端境界部１１７Ａと先端境界部１１７Ｂとの距離を示している。
【００３３】
通常先端部１１８は、通常支持部１１７と連続して形成されている。通常先端部１１８は、開封側通常爪１１８Ａおよび内容物側通常爪１１８Ｂを有する。開封側通常爪１１８Ａは、通常雌型１１２の開封側通常爪１１３と嵌合する形状を有する。内容物側通常爪１１８Ｂは、通常雌型１１２の内容物側通常爪１１４と嵌合する形状を有する。内容物側通常爪１１８Ｂと内容物側通常爪１１４との嵌合強度は、開封側通常爪１１８Ａと開封側通常爪１１３との嵌合強度よりも大きい。このため、ファスナー１００は、内部空間側よりも開封側のほうから開封しやすい構造を有する。
【００３４】
図４を参照して、低嵌合強度部１２０の構成について説明する。なお、図４においては、易開封シール部８５の図示を省略している。
低嵌合強度部１２０は、高嵌合強度部１１０の０％の嵌合強度を有する。低嵌合強度部１２０は、高嵌合強度部１１０と同様の構成のファスナー１００を、所定の圧力、所定の時間、および所定の温度の条件の下、押しつぶすことにより形成されている。低嵌合強度部１２０は、雌型基材１２１、変形雌型１２２、雄型基材１２５、および変形雄型１２６を有する。
【００３５】
雌型基材１２１は、袋２０を形成するシートに熱溶着される。雌型基材１２１は、変形雌型１２２を支持する機能を有する。
変形雌型１２２は、椀型形状を有する。変形雌型１２２は、雌型基材１２１と一体的に形成されている。変形雌型１２２は、開封側変形爪１２３および内容物側変形爪１２４を有する。開封側変形爪１２３は、雌型基材１２１側に屈曲する形状を有する。開封側変形爪１２３は、内容物側変形爪１２４よりも袋２０の開封側に位置している。
【００３６】
内容物側変形爪１２４は、雌型基材１２１側に屈曲する形状を有する。内容物側変形爪１２４は、内容物側変形爪１２４よりも袋２０の内部空間２９側に位置している。内容物側変形爪１２４と開封側変形爪１２３とは、変形距離ＬＧを有する。変形距離ＬＧは、内容物側変形爪１２４と開封側変形爪１２３との距離を示している。変形距離ＬＧは、図３に示している通常距離ＬＥよりも大きい。
【００３７】
雄型基材１２５は、袋２０を形成するシートに熱溶着される。雄型基材１２５は、変形雄型１２６を支持する機能を有する。
変形雄型１２６は、矢尻型形状を有する。変形雄型１２６は、雄型基材１２５と一体的に形成されている。変形雄型１２６は、変形支持部１２７および変形先端部１２８を有する。変形支持部１２７は、雄型基材１２５と連続して形成されている。変形支持部１２７は、雄型基材１２５から雌型基材１２１に向けて突出する形状を有する。変形支持部１２７は、基端境界部１２７Ａおよび先端境界部１２７Ｂを有する。基端境界部１２７Ａは、変形支持部１２７と雄型基材１２５との境界部分を示している。先端境界部１２７Ｂは、変形支持部１２７と変形先端部１２８との境界部分を示している。変形支持部１２７は、変形支持部長さＬＨを有する。変形支持部長さＬＨは、基端境界部１２７Ａと先端境界部１２７Ｂとの距離を示している。変形支持部長さＬＨは、図３に示している通常支持部長さＬＦよりも短い。
【００３８】
変形先端部１２８は、変形支持部１２７と連続して形成されている。変形先端部１２８は、開封側変形爪１２８Ａおよび内容物側変形爪１２８Ｂを有する。開封側変形爪１２８Ａは、変形雌型１２２の開封側変形爪１２３と嵌合する形状を有する。開封側変形爪１２８Ａと開封側変形爪１２３とは、０％の嵌合強度を有する。内容物側変形爪１２８Ｂは、変形雌型１２２の内容物側変形爪１２４と嵌合する形状を有する。内容物側変形爪１２８Ｂと内容物側変形爪１２４とは、０％との嵌合強度を有する。
【００３９】
図５および図６を参照して、内容物封入パウチ１の製造工程について説明する。
内容物封入パウチ１の製造工程は、第１工程、第２工程（図５（ａ））、第３工程（図５（ｂ））、第４工程（図５（ｃ））、第５工程（図６（ａ））、第６工程（図６（ｂ））、および第７工程（図６（ｃ））を含む。
【００４０】
第１工程においては、パウチ１０が製造される。
第２工程においては、パウチ１０の第１角部２１の周辺および第３角部２３の周辺がそれぞれ充填機３００のチャック３１０によりチャッキングされる。
【００４１】
パウチ１０は、図５（ａ）に示される状態で、充填ラインに搬送される。所定の充填ライン位置において、第２開口部６１は吸盤（図示略）により開封される。
第３工程においては、図５（ｂ）に示されるように、第２開口部６１にノズル３２０が挿入される。ノズル３２０は、内部空間２９に内容物２００を充填する。
【００４２】
第４工程においては、図５（ｃ）に示されるように、内部空間２９に所定量の内容物２００が充填されることにより充填が終了する。内部空間２９への内容物２００の充填が終了した後、ノズル３２０は第２開口部６１から抜かれる。
【００４３】
第５工程においては、図６（ａ）に示されるように、パウチ１０の第１角部２１の周辺および第３角部２３の周辺がそれぞれ充填機３００のチャック３１０によりチャッキングされたままパウチ１０がシール加工ラインに搬送される。
【００４４】
第６工程においては、図６（ｂ）に示されるように、所定のシール加工ライン位置において、シール装置４００は、第２開口部６１を挟みこむ。これにより、第２開口部６１にシール加工が施される。
【００４５】
第７工程においては、シール加工の終了後、図６（ｃ）に示されるように、シール装置４００は、第２開口部６１を挟み込みこんだ状態を解除する。その後、シール装置４００は、内容物封入パウチ１から離間する。
【００４６】
図７〜図１０を参照して、内容物封入パウチ１の使用方法について説明する。
図７に示されるように、袋２０は、ノッチ９１を始点として、ガイド線９２に沿って切り取られることにより、主袋部３０と副袋部７０とに分離した状態（以下、「分離状態」）となる。袋２０は、分離状態において、高嵌合強度部１１０の嵌合状態を解除することにより、ファスナー１００が開封する。これにより、第１開口部４３が開封する。また、このとき易開封シール部８５も剥離する。
【００４７】
図８に示されるように、使用者は、第１開口部４３が開口した状態において、内部空間２９に具材５００を投入する。具材５００としては、肉、野菜等が使用者により適宜選択される。
【００４８】
図９に示されるように、パウチ１０は、内部空間２９に内容物２００および具材５００が投入された状態で、ファスナー１００が再封される。パウチ１０は、ファスナー１００が再封された後、電子レンジで加熱される。内容物封入パウチ１は、加熱されることにより、内部空間２９で蒸気が発生する。このため、内容物封入パウチ１は、内部空間２９の圧力、すなわち内圧が上昇する。内容物封入パウチ１の内圧が上昇することにともない、内容物封入パウチ１には、互いに対向してパウチ１０の内部空間２９を形成するシートを離間させようとする力が作用する。また、内容物封入パウチ１の内圧が上昇することにともない、内容物封入パウチ１には、高嵌合強度部１１０の嵌合状態を解除させようとする力（以下、「嵌合解除力」）が作用する。
【００４９】
なお、内容物封入パウチ１を電子レンジで加熱することにより、内部空間２９で発生した蒸気は、僅かながら低嵌合強度部１２０を介して外部へと排出される。しかし、低嵌合強度部１２０を介して外部へと排出される蒸気の排出速度は、内部空間２９で発生する蒸気の発生速度と比較して極めて小さい。このため、内部空間２９の圧力が上昇する。
【００５０】
図１０に示されるように、内容物封入パウチ１は、嵌合解除力が高嵌合強度部１１０の嵌合強度を上回る前に、低嵌合強度部１２０が開封する。これにより、低嵌合強度部１２０を介して外部へと排出される蒸気の排出速度が、内部空間２９で発生する蒸気の発生速度を上回る。このため、内容物封入パウチ１の内圧の上昇が穏やかになり、やがて内圧の上昇は停止する。なお、低嵌合強度部１２０の開封をきっかけとして、高嵌合強度部１１０の一部の嵌合状態が解除される。
【００５１】
図１１を参照して、高嵌合強度部の嵌合強度に対する低嵌合強度部の嵌合強度の比率（以下、「強度比率」）を変化させたときの、ファスナー１００の開封態様について検証した実験結果について説明する。
【００５２】
本実験は、ファスナー長さが１５０ｍｍのファスナーの中央部分に低嵌合強度部を形成することにより行われた。本実験の高嵌合強度部は、３８Ｎ／２０ｍｍの嵌合強度を有する。高嵌合強度部は、ファスナーのうちの低嵌合強度部が形成されていない部分を示している。低嵌合強度部は、ファスナーの中央部分が、所定の圧力、所定の時間、および所定の温度の条件の下、押しつぶされることにより形成されている。低嵌合強度部長さは、２０ｍｍを有する。
【００５３】
強度比率が１００％、すなわち、ファスナーに低嵌合強度部が形成されていないとき、加熱にともなう内容物封入パウチの内圧の上昇により、ファスナーは大きな音とともに開封した。
【００５４】
強度比率が９５％のとき、加熱にともなう内容物封入パウチの内圧の上昇により、ファスナーは大きな音とともに開封した。
強度比率が７０％、８０％、および９０％のとき、加熱にともなう内容物封入パウチの内圧の上昇によるファスナーの開封時の音は、強度比率が９５％および１００％のときと比較して若干小さくなった。
【００５５】
強度比率が０％、３０％、および５０％のとき、加熱にともなう内容物封入パウチの内圧の上昇によるファスナーの開封時の音は、強度比率が７０％、８０％、９０％、９５％、および１００％のときと比較して小さくなった。
【００５６】
以上の結果、強度比率を９０％以下にすることにより、ファスナーの開封時の音の大きさの低減に関して効果が見出された。特に、強度比率を５０％以下とすることにより、ファスナーの開封時の音の大きさの低減について顕著な効果が見出された。
【００５７】
図１２を参照して、ファスナー長さに対する低嵌合強度部長さの割合（以下、「強度部長さ割合」）を変化させたときの、ファスナー１００の開封態様について検証した実験結果について説明する。
【００５８】
本実験は、ファスナー長さが１５０ｍｍのファスナーの中央部分に低嵌合強度部を形成することにより行われた。高嵌合強度部は、ファスナーのうちの低嵌合強度部が形成されていない部分を示している。低嵌合強度部は、ファスナーの中央部分が、所定の圧力、所定の時間、および所定の温度の条件の下、押しつぶされることにより形成されている。低嵌合強度部は、０Ｎ／２０ｍｍの嵌合強度を有する。
【００５９】
強度部長さ割合が０％、すなわち、ファスナーに低嵌合強度部が形成されていないとき、加熱にともなう内容物封入パウチの内圧の上昇により、ファスナーは大きな音とともに開封した。
【００６０】
強度部長さ割合が５％のとき、加熱にともなう内容物封入パウチの内圧の上昇によるファスナーの開封時の音は、強度部長さ割合が０％のときと比較して若干小さくなった。
強度部長さ割合が１０％、２０％、および５０％のとき、加熱にともなう内容物封入パウチの内圧の上昇によるファスナーの開封時の音は、強度部長さ割合が０％および５％のときと比較して小さくなった。
【００６１】
強度部長さ割合が７０％のとき、加熱にともなう内容物封入パウチの内圧の上昇によるファスナーの開封時の音は、強度部長さ割合が０％、５％、１０％、２０％、および５０％のときと比較して小さくなった。しかし、強度部長さ割合が７０％のとき、ファスナーによるパウチの密封性が低下した。
【００６２】
強度部長さ割合が８０％のとき、加熱にともなう内容物封入パウチの内圧の上昇によるファスナーの開封時の音は、強度部長さ割合が０％、５％、１０％、２０％、５０％、および７０％のときと比較して小さくなった。しかし、強度部長さ割合が８０％のとき、ファスナーによるパウチの密封性が強度部長さ７０％のときと比較してさらに低下した。
【００６３】
以上の結果、強度部長さ割合を５％以上にすることにより、ファスナーの開封時の音の大きさの低減に関して効果が見出された。特に、強度部長さ割合を５％以上〜７０％以下とすることにより、ファスナーによるパウチの密封性の低下を抑制し、かつファスナーの開封時の音の大きさの低減について効果が見出された。
【００６４】
パウチ１０は以下の効果を奏する。
（１）パウチ１０は、ファスナー１００を有する。ファスナー１００は、高嵌合強度部１１０および低嵌合強度部１２０を有する。このため、パウチ１０を用いた内容物封入パウチ１を加熱したとき、内圧の上昇にともない上昇する嵌合解除力が、高嵌合強度部１１０の嵌合強度よりも先に低嵌合強度部１２０の嵌合強度に達する。このため、低嵌合強度部１２０の嵌合状態が高嵌合強度部１１０の嵌合状態よりも先に解除される。これにより、嵌合解除力が、高嵌合強度部１１０の嵌合強度に達する前に、内部空間２９で発生した蒸気を外部へと排出できる。このため、内圧の上昇にともなうパウチ１０の開封時に発生する音を小さくできる。
【００６５】
（２）パウチ１０は、第１開口部４３に加えて、第２開口部６１を有する。このため、内容物封入パウチ１の製造過程において、第２開口部６１からパウチ１０の内部空間２９に内容物２００をいれることができる。このため、内容物封入パウチ１の製造過程においてファスナー１００に内容物が付着するおそれが低減される。
【００６６】
（３）パウチ１０は、袋２０を有する。袋２０は、袋本体部４０、底ガゼット５０、および突出部６０を有する。突出部６０は、第２開口部６１を有する。第２開口部６１は、袋本体部４０から袋２０の外方に向けて突出した形状を有する。このため、内容物封入パウチ１の製造過程において第２開口部６１をシールするとき、パウチ１０をチャッキングするチャック３１０がシール装置４００の移動軌跡上に位置しない状態を形成できる。このため、第２開口部６１のシール加工が容易になる。
【００６７】
（４）パウチ１０は、易開封シール部８５を有する。易開封シール部８５は、第１開口部４３を密封する。易開封シール部８５は、ファスナー１００に対して内部空間２９側に位置している。このため、第２開口部６１から袋２０の内部空間２９に内容物２００をいれるときに、内容物２００がファスナー１００に付着するおそれが低減される。
【００６８】
本パウチおよび本内容物封入パウチは、上記実施形態とは別の実施形態を含む。以下、その他の実施形態としての上記実施形態の変形例を示している。なお、以下の各変形例は、互いに組み合わせることもできる。
【００６９】
・実施形態のファスナー１００は、単一の低嵌合強度部１２０を有する。ただし、ファスナー１００の構成は実施形態に例示された内容に限られない。例えば、変形例のファスナー１００は、複数の低嵌合強度部１２０を有する。
【００７０】
・実施形態のファスナー１００の低嵌合強度部長さＬＤは、ファスナー長さＬＡの２０％の長さを有する。ただし、低嵌合強度部長さＬＤは実施形態に例示された内容に限られない。例えば、変形例の低嵌合強度部長さＬＤは、ファスナー長さＬＡの５％以上〜７０％以下の範囲から適宜選択される。
【００７１】
・実施形態の第１高嵌合強度部長さＬＢと第２高嵌合強度部長さＬＣとは等しい。ただし、第１高嵌合強度部長さＬＢと第２高嵌合強度部長さＬＣとの関係は実施形態に例示された内容に限られない。例えば、変形例の第１高嵌合強度部長さは、第２高嵌合強度部長さと異なる。要するに、第１高嵌合強度部長さおよび第２高嵌合強度部長さは、適宜変更することができる。
【００７２】
・実施形態の低嵌合強度部１２０は、高嵌合強度部１１０の嵌合強度の０％の嵌合強度を有する。ただし、低嵌合強度部１２０の嵌合強度は実施形態に例示された内容に限られない。例えば、変形例の低嵌合強度部１２０の嵌合強度は、高嵌合強度部１１０の嵌合強度の０％以上〜９０％以下の範囲から適宜選択される。
【００７３】
・実施形態の低嵌合強度部１２０は、高嵌合強度部１１０と同様の構成のファスナー１００を、所定の圧力、所定の時間、および所定の温度の条件の下、押しつぶすことにより形成される。ただし、低嵌合強度部１２０の構成は実施形態に例示された内容に限られない。例えば、変形例の低嵌合強度部１２０は、高嵌合強度部１１０よりも嵌合強度の低いファスナーが別途挿入されることにより形成される。
【００７４】
・実施形態の低嵌合強度部１２０は、変形雌型１２２を有する。変形雌型１２２は、開封側変形爪１２３および内容物側変形爪１２４を有する。ただし、変形雌型１２２の構成は実施形態に例示された内容に限定されない。例えば、変形例の変形雌型１２２は、開封側変形爪１２３および内容物側変形爪１２４の少なくとも一方を有さない。
【００７５】
・実施形態の低嵌合強度部１２０は、変形雄型１２６を有する。変形雄型１２６は、開封側変形爪１２８Ａおよび内容物側変形爪１２８Ｂを有する。ただし、変形雄型１２６の構成は実施形態に例示された内容に限定されない。例えば、変形例の変形雄型１２６は、開封側変形爪１２８Ａおよび内容物側変形爪１２８Ｂの少なくとも一方を有さない。
【００７６】
・実施形態のパウチ１０は、上方シール部８３、易開封シール部８５、突出部６０、および第２開口部６１を有する。ただし、パウチ１０の構成は実施形態に例示された内容に限定されない。例えば、変形例のパウチ１０は、上方シール部８３、易開封シール部８５、突出部６０、および第２開口部６１の少なくとも一つを有さない。
【００７７】
・実施形態のパウチ１０は、スタンディングパウチとしての形態を有する。ただし、パパうち１０の形態は実施形態に例示された内容に限られない。例えば、変形例のパウチ１０は、平型パウチ等、パウチとしての様々な形態をとり得る。
【００７８】
・実施形態の内容物封入パウチ１は、内容物２００を有する。内容物２００は、液体調味料が選択される。ただし、選択される内容物２００の種類は実施形態に例示された内容に限定されない。例えば、変形例の内容物封入パウチ１が有する内容物２００は、医療具や哺乳瓶等の殺菌消毒された物品が選択される。
【符号の説明】
【００７９】
１…内容物封入パウチ、１０…パウチ、２０…袋、２１…第１角部、２２…第２角部、２３…第３角部、２４…第４角部、２５…第１側方縁、２６…第２側方縁、２７…上縁、２８…下縁、２９…内部空間、３０…主袋部、４０…袋本体部、４１…第１側方部、４２…第２側方部、４３…第１開口部、５０…底ガゼット、６０…突出部、６１…第２開口部、７０…副袋部、８０…シール部、８１…第１側方シール部、８１Ａ…側方シール上部、８１Ｂ…側方シール下部、８２…第２側方シール部、８３…上方シール部、８４…下方シール部、８５…易開封シール部、９０…切断補助部、９１…ノッチ、９２…ガイド線、１００…ファスナー、１０１…第１ファスナー端部、１０２…第２ファスナー端部、１１０…高嵌合強度部、１１１…雌型基材、１１２…通常雌型、１１３…開封側通常爪、１１４…内容物側通常爪、１１５…雄型基材、１１６…通常雄型、１１７…通常支持部、１１７Ａ…基端境界部、１１７Ｂ…先端境界部、１１８…通常先端部、１１８Ａ…開封側通常爪、１１８Ｂ…内容物側通常爪、１２０…低嵌合強度部、１２０Ａ…第１低嵌合端部、１２０Ｂ…第２低嵌合端部、１２１…雌型基材、１２２…変形雌型、１２３…開封側変形爪、１２４…内容物側変形爪、１２５…雄型基材、１２６…変形雄型、１２７…変形支持部、１２７Ａ…基端境界部、１２７Ｂ…先端境界部、１２８…変形先端部、１２８Ａ…開封側変形爪、１２８Ｂ…内容物側変形爪、２００…内容物、３００…充填機、３１０…チャック、３２０…ノズル、４００…シール装置、５００…具材、ＬＡ…ファスナー長さ、ＬＢ…第１高嵌合強度部長さ、ＬＣ…第２高嵌合強度部長さ、ＬＤ…低嵌合強度部長さ、ＬＥ…通常距離、ＬＦ…通常支持部長さ、ＬＧ…変形距離、ＬＨ…変形支持部長さ。
【図１】
2015147620.tif 000003
【図２】
2015147620.tif 000004
【図３】
2015147620.tif 000005
【図４】
2015147620.tif 000006
【図５】
2015147620.tif 000007
【図６】
2015147620.tif 000008
【図７】
2015147620.tif 000009
【図８】
2015147620.tif 000010
【図９】
2015147620.tif 000011
【図１０】
2015147620.tif 000012
【図１１】
2015147620.tif 000013
【図１２】
2015147620.tif 000014